(57)【特許請求の範囲】
【請求項１】
不織布からなる液透過性のトップシートと、液不透過性のバックシートと、トップシートとバックシートとの間に設けられた吸収体とを備える使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、使い捨ておむつが男子用である場合は、吸収拡散シートの前端は吸収体の前端から０．０Ｌ０〜０．１０Ｌ０の位置にあり、吸収拡散シートの後端は吸収体の前端から０．５０Ｌ０〜０．８５Ｌ０の位置にあり、使い捨ておむつが女子用である場合は、吸収拡散シートの前端は吸収体の前端から０．２Ｌ０〜０．３５Ｌ０の位置にあり、吸収拡散シートの後端は吸収体の前端から０．７Ｌ０〜１．０Ｌ０の位置にあることを特徴とする使い捨ておむつ。
【請求項２】
吸収拡散シートの密度は、トップシートの溝部の密度よりも大きく、かつトップシートの畝部の密度よりも小さいことを特徴とする請求項１に記載の使い捨ておむつ。
【請求項３】
使い捨ておむつの両側部に脚回り弾性部材が設けられ、使い捨ておむつが男子用である場合は、吸収拡散シートの前端は脚回り弾性部材の前端よりも前にあり、使い捨ておむつが女子用である場合は、吸収拡散シートの前端は脚回り弾性部材の前端よりも後にあることを特徴とする請求項１または２に記載の使い捨ておむつ。
【請求項４】
使い捨ておむつの前胴回り領域にファスナー用ターゲットテープが設けられ、使い捨ておむつが男子用である場合は、吸収拡散シートの一部がターゲットテープに重なっており、使い捨ておむつが女子用である場合は、吸収拡散シートがターゲットテープに重なっていないことを特徴とする請求項１〜３のいずれか１項に記載の使い捨ておむつ。
【請求項５】
トップシートの溝部に開孔または密度が小さい部分が存在することを特徴とする請求項１〜４のいずれか１項に記載の使い捨ておむつ。
【請求項６】
不織布からなる液透過性のトップシートと、液不透過性のバックシートと、トップシートとバックシートとの間に設けられた吸収体とを備える男子用使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、吸収拡散シートの前端は吸収体の前端から０．０Ｌ０〜０．１０Ｌ０の位置にあり、吸収拡散シートの後端は吸収体の前端から０．５０Ｌ０〜０．８５Ｌ０の位置にあり、
使い捨ておむつの両側部に脚回り弾性部材が設けられ、吸収拡散シートの前端は脚回り弾性部材の前端よりも前にあり、
使い捨ておむつの前胴回り領域にファスナー用ターゲットテープが設けられ、吸収拡散シートの一部がターゲットテープに重なっていることを特徴とする請求項４または５に記載の使い捨ておむつ。
【請求項７】
不織布からなる液透過性のトップシートと、液不透過性のバックシートと、トップシートとバックシートとの間に設けられた吸収体とを備える女子用使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、吸収拡散シートの前端は吸収体の前端から０．２Ｌ０〜０．３５Ｌ０の位置にあり、吸収拡散シートの後端は吸収体の前端から０．７Ｌ０〜１．０Ｌ０の位置にあり、
使い捨ておむつの両側部に脚回り弾性部材が設けられ、吸収拡散シートの前端は脚回り弾性部材の前端よりも後にあり、
使い捨ておむつの前胴回り領域にファスナー用ターゲットテープが設けられ、吸収拡散シートがターゲットテープに重なっていないことを特徴とする請求項４または５に記載の使い捨ておむつ。
【発明の詳細な説明】
【技術分野】
【０００１】
本発明は、使い捨ておむつに関する。
【背景技術】
【０００２】
表面に畝部と溝部を有する液透過性のトップシートと、液不透過性のバックシートと、トップシートとバックシートとの間に設けられた吸収体と、トップシートと吸収体との間に設けられた吸収拡散シートとを備える吸収性物品が知られている（特許文献１）。
【先行技術文献】
【特許文献】
【０００３】
【特許文献１】特開２００９−１７３号公報
【発明の概要】
【発明が解決しようとする課題】
【０００４】
特許文献１に記載の吸収性物品では、吸収拡散シートは吸収性物品の全面に設けられている。使い捨ておむつの場合、吸収拡散シートを設けると、頻繁に尿を吸収する領域以外の部分にシートが存在する為に、製品が曲がり難くなることで装着感を悪化させてしまうことがある。本発明は、排泄された尿をスムーズに吸収体へ移行することができ、身体に対して製品が柔軟にフィットした状態で装着できる使い捨ておむつを提供することを課題とする。
【課題を解決するための手段】
【０００５】
本発明は、上記課題を解決するため、尿が排泄される位置にのみ、吸収拡散シートを設けたものであるが、男子と女子で排尿位置が異なることから、男子用と女子用で吸収拡散シートの配置位置が異なる。
【０００６】
すなわち、本発明は、不織布からなる液透過性のトップシートと、液不透過性のバックシートと、トップシートとバックシートとの間に設けられた吸収体とを備える使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、使い捨ておむつが男子用である場合は、吸収拡散シートの前端は吸収体の前端から０．０Ｌ０〜０．１０Ｌ０の位置にあり、吸収拡散シートの後端は吸収体の前端から０．５０Ｌ０〜０．８５Ｌ０の位置にあり、使い捨ておむつが女子用である場合は、吸収拡散シートの前端は吸収体の前端から０．２０Ｌ０〜０．３５Ｌ０の位置にあり、吸収拡散シートの後端は吸収体の前端から０．７０Ｌ０〜１．０Ｌ０の位置にあることを特徴とする使い捨ておむつである。
【０００７】
好ましくは、吸収拡散シートの密度は、トップシートの溝部の密度よりも大きく、かつトップシートの畝部の密度よりも小さい。
好ましくは、使い捨ておむつの両側部に脚回り弾性部材が設けられ、使い捨ておむつが男子用である場合は、吸収拡散シートの前端は脚回り弾性部材の前端よりも前にあり、使い捨ておむつが女子用である場合は、吸収拡散シートの前端は脚回り弾性部材の前端よりも後にある。
好ましくは、使い捨ておむつの前胴回り領域にファスナー用ターゲットテープが設けられ、使い捨ておむつが男子用である場合は、吸収拡散シートの一部がターゲットテープに重なっており、使い捨ておむつが女子用である場合は、吸収拡散シートがターゲットテープに重なっていない。
好ましくは、トップシートの溝部に開孔または密度が小さい部分が存在する。
【０００８】
本発明は、また、次の２つの実施形態を含む。
［１］不織布からなる液透過性のトップシートと、液不透過性のバックシートと、トップシートとバックシートとの間に設けられた吸収体とを備える男子用使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、吸収拡散シートの前端は吸収体の前端から０．０Ｌ０〜０．１０Ｌ０の位置にあり、吸収拡散シートの後端は吸収体の前端から０．５０Ｌ０〜０．８５Ｌ０の位置にあり、
使い捨ておむつの両側部に脚回り弾性部材が設けられ、吸収拡散シートの前端は脚回り弾性部材の前端よりも前にあり、
使い捨ておむつの前胴回り領域にファスナー用ターゲットテープが設けられ、吸収拡散シートの一部がターゲットテープに重なっていることを特徴とする男子用使い捨ておむつ。
［２］不織布からなる液透過性のトップシートと、液不透過性のバックシートと、トップシートとバックシートとの間に設けられた吸収体とを備える女子用使い捨ておむつであって、
該使い捨ておむつは、トップシートと吸収体との間に、親水性かつ液透過性の吸収拡散シートをさらに備え、
トップシートは、着用者の肌に当接する面に、使い捨ておむつの前後方向へ平行して延びる複数の畝部と溝部とを有し、着用者の肌に当接する面とは反対側のトップシートの面は平坦であり、
畝部の目付けは、溝部の目付けよりも高く、
吸収拡散シートは、吸収体の面方向の領域の一部の領域に設けられ、
吸収体の前後方向長さをＬ０としたとき、吸収拡散シートの前端は吸収体の前端から０．２０Ｌ０〜０．３５Ｌ０の位置にあり、吸収拡散シートの後端は吸収体の前端から０．７０Ｌ０〜１．０Ｌ０の位置にあり、
使い捨ておむつの両側部に脚回り弾性部材が設けられ、吸収拡散シートの前端は脚回り弾性部材の前端よりも後にあり、
使い捨ておむつの前胴回り領域にファスナー用ターゲットテープが設けられ、吸収拡散シートがターゲットテープに重なっていないことを特徴とする女子用使い捨ておむつ。
【発明の効果】
【０００９】
本発明の使い捨ておむつは、排泄された尿をスムーズに吸収体へ移行することができ、身体に対して製品が柔軟にフィットした状態で装着できる。
【図面の簡単な説明】
【００１０】
【図１】図１は、本発明の第１の実施形態の使い捨ておむつの平面図である。
【図２】図２は、本発明の第２の実施形態の使い捨ておむつの平面図である。
【図３】図３は、本発明の第１および第２の実施形態の使い捨ておむつの断面図である。
【図４】図４は、前後方向へ平行して延びる複数の畝部と溝部を有するトップシートを形成する方法を説明するための図である。
【発明を実施するための形態】
【００１１】
以下、図面を参照して本発明の使い捨ておむつを説明するが、本発明は図面に示されたものに限定されるものではない。
図１は、本発明の第１の実施形態の使い捨ておむつの平面図であり、図２は、本発明の第２の実施形態の使い捨ておむつの平面図であり、図３は、図１のＡ−Ａ断面および図２のＢ−Ｂ断面の模式断面図である。第１の実施形態の使い捨ておむつは男子用の使い捨ておむつであり、第２の実施形態の使い捨ておむつは女子用の使い捨ておむつである。
【００１２】
使い捨ておむつ１は、左右両側縁が内側に凹に湾曲した形状を有するシャーシ２０と、シャーシ２０の左右の側部のそれぞれの上に設けられ、シャーシ２０と両側縁の形状が同一のフラップ部３０と、シャーシ２０の幅方向の中央の領域の上に設けられたバックシート４０と、バックシート４０の上に設けられた吸収体５０と、吸収体５０の上に設けられたトップシート６０とを備える。使い捨ておむつ１は、着用者におむつを着用させたときに着用者の下腹部を覆う前胴周り領域１２と、着用者におむつを着用させたときに着用者の股下を覆う股下領域１４と、着用者におむつを着用させたときに着用者の臀部を覆う後胴周り領域１６とからなる。図１および図２において、使い捨ておむつ１の長手方向（ｙ軸）が前後方向であり、それに直交する方向（ｘ軸）が幅方向である。
【００１３】
シャーシ２０の幅方向側の端部近傍とフラップ部３０の幅方向側の端部近傍との間には使い捨ておむつ１の長手方向延びる伸縮部材７０が設けられている。また、フラップ部３０の使い捨ておむつ１の中央側の端部近傍にも使い捨ておむつ１の長手方向に延びる伸縮部材８０が設けられている。
【００１４】
本発明の使い捨ておむつは、開放型の使い捨ておむつであってもよいし、パンツ型の使い捨ておむつであってもよいが、図１および図２に示すものは、開放型の使い捨ておむつである。開放型の使い捨ておむつの場合には、通常、シャーシ２０の後胴回り部の左右両端にファスナー用テープ１６０，１６０が設けられ、シャーシ２０の前胴回り部にファスナー用ターゲットテープ１５０が設けられる。ファスナー用ターゲットテープ１５０の表面にはループ材が設けられており、ファスナー用テープ１６０の先端側にはフック材が設けられており、ファスナー用ターゲットテープ１５０のループ材とファスナー用テープテープ１６０のフック材とで面ファスナーを構成する。ファスナー用テープテープ１６０，１６０をファスナー用ターゲットテープ１５０に結合させたときに、シャーシ２０およびフラップ部３０の左右の内側に凹に湾曲した両側縁により、着用者の脚周りの開口部が形成される。
【００１５】
シャーシ２０は、使い捨ておむつ１の本体の外形を形成する。着用時の蒸れを防止するために、シャーシ２０には、通気性を有する不織布やプラスチックフィルムなどが使用される。フラップ部３０は、着用者の脚周りならびに下腹部および臀部の両脇を覆う。フラップ部３０には、疎水性の不織布が使用される。シャーシ２０とフラップ部３０との間に設けられている伸縮部材７０により、使い捨ておむつ１の脚周りのフィット性を良好にする。また、フラップ３０の使い捨ておむつ１の中央側の端部近傍に設けられている伸縮部材８０の収縮力によって、フラップ部３０の中央側が起立し、使い捨ておむつ１の股下領域１４の幅方向の箇所から尿や軟便が漏れるのを防止するための防漏壁３４が形成される。伸縮材７０，８０には、たとえば、天然ゴム、合成ゴム、スパンデックスのような弾性繊維などが用いられる。
【００１６】
バックシート４０は、尿を透過しない液不透過性シートであり、排出された尿が外に漏れないようにするために設けられている。バックシート４０には、たとえば、防水処理を施した不織布、ポリエチレンなどから構成されるプラスチックフィルム、不織布とプラスチックフィルムとの複合材料などが用いられる。
【００１７】
吸収体５０は、着用者の尿を吸収し保持する。たとえば、吸収体５０は、粉砕パルプ、高吸収性ポリマー、親水性シートなどの吸収部材５１と、吸収部材５１を包み込むティッシュペーパーまたは親水化処理を行った不織布などの被覆シート５２，５３とから主に構成される。被覆シート５２，５３には、吸収部材５１のトップシート６０側の面を覆う上被覆シート５２と、吸収部材５１のその他の面を覆う下被覆シート５３とがある。被覆シート５２，５３は、吸収部材５１とホットメルト型接着剤などの接着剤で接着されていてもよい。接着剤は、スパイラル塗工、カーテン塗工などにより吸収部材５１または被覆シート５２，５３に塗布される。
【００１８】
トップシート６０は、着用者の尿を素早く吸収して吸収体５０に移行させる液透過性の不織布である。トップシート６０の着用者の肌に当接する面を以下、「肌当接面」と呼び、着用者の肌に当接する面とは反対側の面を「非肌当接面」と呼ぶ。トップシート６０は、肌当接面に、使い捨ておむつの前後方向へ平行して延びる複数の畝部６１と溝部６２とを有する。複数の畝部６１および複数の溝部６２は幅方向に交互に並んでいる。トップシートの非肌当接面は平坦である。
【００１９】
畝部の目付けは、溝部の目付けよりも高い。畝部の目付けは、好ましくは１５〜５０ｇ／ｍ２、より好ましくは２０〜４０ｇ／ｍ２、さらに好ましくは２８〜３５ｇ／ｍ２である。溝部の目付けは、好ましくは５〜２０ｇ／ｍ２、より好ましくは８〜１８ｇ／ｍ２、さらに好ましくは１０〜１５ｇ／ｍ２である。トップシートの全体目付けが２５ｇ／ｍ２の場合、好ましくは、畝部の目付けは２８〜３２ｇ／ｍ２であり、溝部の目付けは１０〜１５ｇ／ｍ２である。
【００２０】
トップシートの溝部６２には、開孔または密度が小さい部分が存在することが好ましい。ここで、「密度が小さい」とは、密度が０．０１５ｇ／ｃｍ３以下であることをいう。トップシートの溝部に開孔または密度が小さい部分が存在することにより、尿が勢いよく排出されたときに、尿がトップシートの溝部６２を容易に通過することができる。
【００２１】
隣接する畝部６１の頂点間の距離は、好ましくは１〜１０ｍｍ、より好ましくは２〜８ｍｍ、さらに好ましくは３〜５ｍｍであり、最も典型的には、約４ｍｍである。畝部６１の幅は、好ましくは１〜１０ｍｍ、より好ましくは２〜５ｍｍ、さらに好ましくは３〜４ｍｍであり、溝部６２の幅は、好ましくは０．５〜２０ｍｍ、より好ましくは１．０〜１０ｍｍ、さらに好ましくは２〜５ｍｍである。最も典型的には、畝部６１の幅は約３．０ｍｍであり、溝部６２の幅は約１．０ｍｍである。
【００２２】
トップシート６０に用いられる不織布は、好ましくは、繊維同士の交点が熱融着される繊維を含む。このような繊維には、たとえば、熱可塑性ポリマー材料からなる繊維があり、ポリエチレンおよびポリプロピレンなどのポリオレフィン、ポリエチレンテレフタレートなどのポリエステル、ポリアミドなどがある。また、このような繊維に、複数の熱可塑性ポリマー材料の組み合わせからなる芯鞘型やサイド・バイ・サイド型の複合繊維を使用してもよい。
【００２３】
トップシートが一様な目付けの不織布である場合は、吸収拡散シートを配置した位置以外に排尿されたときや表面を流れた尿の吸収については、吸収体への浸透が遅れ、トップシート上から尿が吸収されるまで時間がかかり、尿漏れが起こってしまう。本発明の使い捨ておむつは、トップシートが畝部と溝部を有し、溝部の目付けが低いので、トップシート上の尿が溝部を通って速やかに下層に移動し、尿がトップシートの表面を流れて漏れるのを防ぐことができる。
【００２４】
次に、図４を参照して、複数の畝部６１と複数の溝部６２とを有するトップシート６０を作製するための方法の一例を説明する。図４（ａ）は、不織布を作製するために形成されたウエブに畝部および溝部を形成する工程を説明するための図であり、図４（ｂ）は、畝部及び溝部が形成されたウエブの幅方向（ＣＤ）の断面を示す図である。カード機などのウエブ形成手段によって形成されたウエブ２１０はサンクションドラム２２０に搬送される。そして、吹き出し部２３０のノズルから、加熱された流体流２３１を吹き付けてウエブ２１０の一部をかき分け、畝部２１１および溝部２１２をウエブ２１０に形成する。流体流２３１により、ウエブ２１０の進行方向である機械方向（ＭＤ）と直交する幅方向（ＣＤ）にかき分けられた繊維は、畝部２１１に集まる。したがって、畝部２１１には、溝部２１２に相当する領域の繊維が堆積されるため、畝部２１１の目付けは高くなる。また、流体流２３１によって繊維が幅方向（ＣＤ）に飛ばされたので、溝部２１２の目付けは低い。
吹き出し部２３０から吹き出される流体流２３１は、空気や水蒸気のような気体であってもよいし、水などの液体であってもよい。また、気体に固体もしくは液体の微粒子が含まれるエーロゾルでもよい。
【００２５】
使い捨ておむつ１は、トップシート６０と吸収体５０との間に吸収拡散シート９０を有する。吸収拡散シート９０は、トップシート６０に排出された着用者の尿を速やかに吸収しかつ拡散させるために設けられる。吸収拡散シート９０は、親水性かつ液透過性の材料からなる。たとえば、親水性かつ液透過性の繊維からなる織布、不織布などを、吸収拡散シート９０として使用することができる。吸収拡散シート９０は、好ましくは、親水性かつ液透過性の繊維からなる不織布である。
【００２６】
吸収拡散シート９０は、図１および図２に示すように、吸収体５０の面方向の領域の一部の領域に設けられる。
使い捨ておむつが男子用である場合は、吸収体の前後方向長さをＬ０としたとき、吸収拡散シートの前端９１は、吸収体の前端５４から０．０Ｌ０〜０．１０Ｌ０の位置にあり、好ましくは０．０７Ｌ０〜０．０９５Ｌ０の位置にある。吸収拡散シートの後端９２は、吸収体の前端５４から０．５０Ｌ０〜０．８５Ｌ０の位置にある。
使い捨ておむつが女子用である場合は、吸収拡散シートの前端９１は、吸収体の前端５４から０．２０Ｌ０〜０．３５Ｌ０の位置にあり、好ましくは０．２５Ｌ０〜０．３０Ｌ０の位置にある。吸収拡散シートの後端９２は、吸収体の前端５４から０．７０Ｌ０〜１．０Ｌ０の位置にあり、好ましくは０．７５Ｌ０〜０．８０Ｌ０の位置にある。
【００２７】
吸収拡散シート９０は、使い捨ておむつ１の、着用者の尿の排出口に対応する位置（排尿ポイント）およびその周辺の領域（吸収ゾーン）、すなわち、吸収体５０の面方向の領域の前胴周り領域１２側の領域に設けられる。男子用の使い捨ておむつと女子用の使い捨ておむつとでは吸収ゾーンの領域は異なるので、男子用の使い捨ておむつと女子用の使い捨ておむつとでは吸収拡散シート９０が設けられる領域も異なる。すなわち、男子用の使い捨ておむつの吸収拡散シート９０が設けられている領域は、女子用の使い捨ておむつの吸収拡散シート９０が設けられている領域に比べて前胴周り領域１２側に寄っている。
【００２８】
使い捨ておむつの両側部に脚回り弾性部材７０が設けられている場合、使い捨ておむつが男子用である場合は、吸収拡散シート９０の前端９１は脚回り弾性部材７０の前端７１よりも前にあり、使い捨ておむつが女子用である場合は、吸収拡散シート９０の前端９１は脚回り弾性部材７０の前端７１よりも後にある。男子の場合、前方に勢いよく尿を排出する傾向があるので、脚回り弾性部材７０の応力が効かない前方部分にも吸収拡散シート９０が存在することが好ましい。
【００２９】
使い捨ておむつの前胴回り領域にファスナー用ターゲットテープ１５０が設けられている場合、使い捨ておむつが男子用であるときは、吸収拡散シート９０の一部がターゲットテープ１５０に重なっており、使い捨ておむつが女子用であるときは、吸収拡散シート９０はターゲットテープ１５０に重なっていない。こうすることにより、おむつの中央に近い部分で尿を吸収し、吸収体へ透過させ、ターゲットテープ付近で尿がたまって漏れることを防ぐという効果が得られる。
【００３０】
本発明の使い捨ておむつは、排尿位置に吸収拡散シートを配置したことにより、吸収拡散シートが排尿直後に多量の尿を一時的に吸収するので、尿がトップシートの表面を流れて漏れるのを防ぐことができる。吸収拡散シートに吸収された尿は、その後、徐々に吸収体に移動し、吸収体に吸収される。
本発明の使い捨ておむつは、畝部および溝部を有するトップシートと、男女別排尿位置に合わせた吸収拡散シートとを組み合わせたことによって、効率的に吸収拡散シートを介して吸収体へ尿を浸透させることができることに加え、吸収拡散シートを配置した範囲を外れた場所での尿浸透が改善され、尿漏れが起こりにくくなる。本発明の使い捨ておむつは、頻繁に尿を吸収する領域以外の部分に吸収拡散シートが存在しないので、身体に対して製品が柔軟にフィットした状態で装着できる。
【００３１】
吸収拡散シートの密度は、トップシートの溝部の密度よりも大きく、かつトップシートの畝部の密度よりも小さいことが好ましい。すなわち、密度は、トップシートの溝部、吸収拡散シート、トップシートの畝部の順に大きくなっていることが好ましい。ここで、密度とは、単位体積当たりの質量をいう。密度の大小関係がこのようになっていることにより、多量の尿を落とせるが、尿が表面に戻りにくい。より詳しくは、尿が勢いよく排出された場合、尿はまずトップシートの溝部に溜まる。トップシートの溝部の密度よりも吸収拡散シートの密度が大きいので、トップシートの溝部に溜まった尿は、毛管現象の原理により、吸収拡散シートに速やかに移行し、吸収される。吸収拡散シートに吸収された尿は、まずは吸収拡散シートに保持されるが、その後、面方向に拡散されるとともに、吸収体に移行し、吸収体に吸収される。いったん吸収された尿が表面に戻ろうとすると、尿は密度の大きいトップシートの畝部に抱えられるので、液戻りが生じにくい。
【００３２】
吸収拡散シートの密度は、好ましくは０．０１５〜０．０５ｇ／ｃｍ３、より好ましくは０．０１７〜０．０４ｇ／ｃｍ３、さらに好ましくは０．０２〜０．０３ｇ／ｃｍ３である。トップシートの畝部の密度は、好ましくは０．０１５〜０．０６ｇ／ｃｍ３、より好ましくは０．０１５〜０．０３ｇ／ｃｍ３、さらに好ましくは０．０１５〜０．０２ｇ／ｃｍ３である。トップシートの溝部の密度は、好ましくは０．０１０〜０．０２ｇ／ｃｍ３、より好ましくは０．０１５〜０．０２ｇ／ｃｍ３である。
【００３３】
吸収拡散シートの目付けは、好ましくは２０〜６０ｇ／ｍ２、より好ましくは２５〜５０ｇ／ｍ２、さらに好ましくは３０〜４０ｇ／ｍ２であり、最も典型的には約４０ｇ／ｍ２である。
【００３４】
吸収拡散シート９０は、好ましくは、吸収部材５１よりも尿の吸収速度が速い材料で形成される。吸収速度が速い材料で形成することにより、尿が勢いよく排出されたときに、多量の尿を吸収拡散シート９０がすばやく吸収することができる。吸収拡散シート９０は、好ましくは、尿を可逆的に吸収しかつ放出しうる材料で形成される。尿を可逆的に吸収しかつ放出しうる材料で形成することにより、いったん吸収拡散シートに吸収された尿は、その後、徐々に吸収体に移動し、吸収体に吸収される。一方、吸収部材５１は、尿を不可逆的に吸収し、いったん吸収した尿は容易には放出しないような材料から形成される、またはそのような材料を含むことが好ましい。また、吸収部材５１は、吸収容量が大きい材料で形成することが好ましいが、吸収拡散シート９０の吸収容量は、吸収部材５１の吸収容量よりも小さくてもよい。このような材料としては、１層または複数層構造のスルーエアー不織布などの不織布を例示することができ、それらを吸収拡散シート９０として用いることができる。不織布を形成する繊維としては、ポリプロピレン（ＰＰ）の単繊維、またはポリエチレン（ＰＥ）／ポリエチレンテレフタレート（ＰＥＴ）、ＰＰ／ＰＥの芯鞘もしくはサイドバイサイドの複合繊維などを挙げることができ、それらの繊維の１種を単独でもしくは複数を組合わせて用いることができる。それらの繊維または不織布は、表面に親水性油剤を塗るまたは親水剤を練りこむなどによって親水性を付与することができる。
【００３５】
吸収拡散シート９０は、ホットメルト型接着剤などの接着剤を使用してトップシート６０および吸収体５０と接着している。接着剤は、スパイラル塗工、カーテン塗工などにより、吸収拡散シート９０、トップシート６０または吸収体５０に塗布される。
【００３６】
以下、本発明の前記実施形態の作用効果を説明する。トップシート上に排尿された際には、溝部の目付が低いために単位面積当りの繊維本数が少なくなっていることで、液体透過を阻害されることが少なく、尿を素早く吸収体側へ移行させることができる。さらに男女別に配置された吸収拡散シートと組み合わせることにより、男女それぞれの異なる位置で排泄された尿が、より一層素早く吸収体に移行させることができる。この際に股ギャザー密着力と腰部テープの締め付け力を有効的に製品腹側端部域に与えることで吸収拡散シートと肌との隙間が低減され効果的に尿を吸収体に移行させることができる。本発明によれば、排尿位置および吸収位置が異なる男子と女子の寝姿勢などの尿がおむつ表面を流れる場合の尿吸収が向上し、尿漏れが減少する。
【００３７】
吸収拡散シート９０は、好ましくは、着色されている。吸収拡散シート９０を白色以外の色に着色した場合は、トップシート６０等の使い捨ておむつ１の吸収拡散シート９０以外の部材は、好ましくは、白色である。これにより、トップシート６０のうち、吸収拡散シート９０が設けられた領域のトップシート６０の肌当接面の畝部６１と溝部６２を的確に強調することができる。そして、使い捨ておむつ１のトップシート６０の表面の強化された機能の存在を使用者にすぐわかるように伝達することができる。また、使い捨ておむつ１にストライプ状の模様を付与することができるので、使い捨ておむつ１をデザイン的にも優れたものにすることができる。また、使い捨ておむつ１の使用後、トップシート６０の畝部６１は、吸収拡散シート９０が透過して見える溝部６２に比べて白く、立体的に見える。このため、着用者の肌に直接接していた部分が白色で汚れが少ないことを使用者に認識させることができ、清潔感の高い印象を使用者に与えることができる。
また、吸収拡散シート９０は、吸収体５０の面方向の領域の一部の領域に設けられるようにしたことにより、使い捨ておむつ１の吸収ゾーンなどの領域に吸収拡散シート９０を設けることによって、使用者は、吸収ゾーンなどの領域を容易に認識することができる。
さらに、吸収拡散シート９０が設けられている面方向の領域は、男子用の使い捨ておむつと女子用の使い捨ておむつとで異なるようにしたことにより、男子用の使い捨ておむつと女子用の使い捨ておむつとで異なる吸収ゾーンを容易に認識することができる。これにより、着色された吸収拡散シート９０が着用者の排尿ポイント付近に適切に存在しており、おむつの排尿ポイント付近に畝部と溝部があることが容易に認識できることによって、使用者は、おむつの吸収機能が高められていることを効果的に認識することができる。
【００３８】
本発明の技術的範囲には、男子用使い捨ておむつと女子用使い捨ておむつのそれぞれが含まれる。
すなわち、不織布からなる液透過性のトップシートと、液不透過性のバックシートと、トップシートとバックシートとの間に設けられた吸収体とを備える男子用使い捨ておむつであって、該男子用使い捨ておむつは、トップシートと吸収体との間に、親水性かつ液透過性の吸収拡散シートをさらに備え、トップシートは、着用者の肌に当接する面に、使い捨ておむつの前後方向へ平行して延びる複数の畝部と溝部とを有し、着用者の肌に当接する面とは反対側のトップシートの面は平坦であり、畝部の目付けは、溝部の目付けよりも高く、吸収拡散シートは、吸収体の面方向の領域の一部の領域に設けられ、吸収体の前後方向長さをＬ０としたとき、吸収拡散シートの前端は吸収体の前端から０．０Ｌ０〜０．１０Ｌ０の位置にあり、吸収拡散シートの後端は吸収体の前端から０．５０Ｌ０〜０．８５Ｌ０の位置にあることを特徴とする男子用使い捨ておむつは、本発明の技術的範囲に属する。
また、不織布からなる液透過性のトップシートと、液不透過性のバックシートと、トップシートとバックシートとの間に設けられた吸収体とを備える女子用使い捨ておむつであって、該女子用使い捨ておむつは、トップシートと吸収体との間に、親水性かつ液透過性の吸収拡散シートをさらに備え、トップシートは、着用者の肌に当接する面に、使い捨ておむつの前後方向へ平行して延びる複数の畝部と溝部とを有し、着用者の肌に当接する面とは反対側のトップシートの面は平坦であり、畝部の目付けは、溝部の目付けよりも高く、吸収拡散シートは、吸収体の面方向の領域の一部の領域に設けられ、吸収体の前後方向長さをＬ０としたとき、吸収拡散シートの前端は吸収体の前端から０．２Ｌ０〜０．３５Ｌ０の位置にあり、吸収拡散シートの後端は吸収体の前端から０．７Ｌ０〜１．０Ｌ０の位置にあることを特徴とする女子用使い捨ておむつもまた、本発明の技術的範囲に属する。
【００３９】
使い捨ておむつは、通常、複数個が１つのパッケージに包装された状態で販売され、パッケージには男子用であるか女子用であるかの表示がされているので、その表示から使い捨ておむつが男子用であるか女子用であるかの区別が可能である。パッケージから取り出された個々の使い捨ておむつには、男子用であるか女子用であるかの表示がされる場合もあるし、表示がされない場合もある。個々の使い捨ておむつに文字で男子用であるか女子用であるかの表示がされていない場合であっても、個々の使い捨ておむつに付与された装飾によって男子用であるか女子用であるかの区別ができる場合もある。たとえば、通常、ブルー系のデザインが付与された使い捨ておむつは男子用であり、ピンク系のデザインが付与された使い捨ておむつは女子用である。すなわち、個々の使い捨ておむつに付与されたデザインの色彩によっても男子用であるか女子用であるかの区別ができる場合がある。
【産業上の利用可能性】
【００４０】
本発明の使い捨ておむつは、乳幼児用の使い捨ておむつとして好適に利用することができる。
【符号の説明】
【００４１】
１    使い捨ておむつ
２０    シャーシ
３０    フラップ部
４０    バックシート
５０    吸収体
５１    吸収部材
５２，５３    被覆シート
５４    吸収体の前端
６０    トップシート
６１    畝部
６２    溝部
７０，８０    伸縮材
９０    吸収拡散シート
９１    吸収拡散シートの前端
９２    吸収拡散シートの後端
１５０    ファスナー用ターゲットテープ
１６０    ファスナー用テープ
２１０    ウエブ
２１１    畝部
２１２    溝部
２２０    サンクションドラム
２３０    吹き出し部
２３１    流体流
【図１】
0005709685.tif 000002
【図２】
0005709685.tif 000003
【図３】
0005709685.tif 000004
【図４】
0005709685.tif 000005